(57)【要約】  モバイル機器ユーザのためのパソコンシステム及びそのパソコンシステムの運用方法を提供する。本発明の実施形態によるモバイル機器ユーザのためのパソコンシステムは、少なくとも１つのソフトウェアが実行される多数のメインボードと、それぞれ自分に割り当てられたモバイル機器ユーザが使う少なくとも１つのソフトウェアを保存する多数の保存装置と、任意のモバイル機器ユーザのソフトウェア実行のための接続要請に応じて、多数のメインボード内の使用待機中であるメインボードのうち１つを選択して、多数の保存装置のうち、任意のモバイル機器ユーザに割り当てられた保存装置と連結し、任意のモバイル機器ユーザから選択されたメインボードの使用終了要請に応じて、任意のモバイル機器ユーザに割り当てられた保存装置と選択されたメインボードとの連結を切るリレーボードシステムと、を含む。
2013541078.tif 000002
【特許請求の範囲】
【請求項１】
少なくとも１つのソフトウェアが実行される多数のメインボードと、
それぞれ自分に割り当てられたモバイル機器ユーザが使う少なくとも１つのソフトウェアを保存する多数の保存装置と、
任意のモバイル機器ユーザのソフトウェア実行のための接続要請に応じて、前記多数のメインボード内の使用待機中であるメインボードのうち１つを選択して、前記多数の保存装置のうち、任意のモバイル機器ユーザに割り当てられた保存装置と連結し、前記任意のモバイル機器ユーザから前記選択されたメインボードの使用終了要請に応じて、前記任意のモバイル機器ユーザに割り当てられた保存装置と前記選択されたメインボードとの連結を切るリレーボードシステムと、
を含むパソコンシステム。
【請求項２】
前記多数のメインボードの個数は、前記多数の保存装置の個数より少ない請求項１に記載のパソコンシステム。
【請求項３】
前記リレーボードシステムは、
前記任意のモバイル機器ユーザのソフトウェア実行のための接続要請に応じて接続権限を認証して、正当な場合、前記使用待機中であるメインボードのうち１つを選択して、前記選択されたメインボードと前記任意のモバイル機器ユーザに割り当てられた保存装置とを連結するためのスイッチングオン信号を発生させ、前記選択されたメインボードの使用終了要請に応じてスイッチングオフ信号を発生させる制御部と、
前記スイッチングオン信号によってスイッチングして、前記選択されたメインボードと前記任意のモバイル機器ユーザに割り当てられた保存装置とを連結し、前記スイッチングオフ信号によってスイッチングして、前記選択されたメインボードと前記任意のモバイル機器ユーザに割り当てられた保存装置との連結を切るスイッチング部と、
を含む請求項１に記載のパソコンシステム。
【請求項４】
前記制御部は、
前記接続権限を認証して、正当な場合、前記選択されたメインボードのアドレス情報を前記任意のモバイル機器に伝送する請求項３に記載のパソコンシステム。
【請求項５】
前記制御部は、
前記選択されたメインボードと前記任意のモバイル機器ユーザに割り当てられた保存装置とが連結された場合、前記選択されたメインボードにオン（Ｏｎ）させ、前記選択されたメインボードと前記任意のモバイル機器ユーザに割り当てられた保存装置とが切られた場合、前記選択されたメインボードをオフ（Ｏｆｆ）させる請求項３に記載のパソコンシステム。
【請求項６】
前記リレーボードシステムは、
ＳＡＴＡ（Ｓｅｒｉａｌ  ＡＴＡ）方式の電源及びデータケーブルを用いて、前記多数のメインボード及び前記多数の保存装置のそれぞれに連結される請求項１ないし請求項５のうち何れか一項に記載のパソコンシステム。
【請求項７】
前記多数のメインボードは、それぞれ同じハードウェア仕様を有する請求項１ないし請求項５のうち何れか一項に記載のパソコンシステム。
【請求項８】
リレーボードシステムが、任意のモバイル機器ユーザからソフトウェア実行のための接続要請を受信する段階と、
前記リレーボードシステムが、前記受信された接続要請に応じて多数のメインボード内の使用待機中であるメインボードのうち１つを選択して、多数の保存装置のうち、任意のモバイル機器ユーザに割り当てられた保存装置と連結する段階と、
前記リレーボードシステムが、前記任意のモバイル機器ユーザから前記選択されたメインボードの使用終了要請に応じて、前記割り当てられた保存装置と前記選択されたメインボードとの連結を切る段階と、
を含むパソコンシステムの運用方法。
【請求項９】
前記多数のメインボードの個数は、前記多数の保存装置の個数より少ない請求項８に記載のパソコンシステムの運用方法。
【請求項１０】
前記リレーボードシステムが、前記受信された接続要請に応じて多数のメインボード内の使用待機中であるメインボードのうち１つを選択して、多数の保存装置のうち、任意のモバイル機器ユーザに割り当てられた保存装置と連結する段階は、
前記リレーボードシステムが、前記任意のモバイル機器ユーザのソフトウェア実行のための接続要請に応じて接続権限を認証する段階と、
前記リレーボードシステムが、前記認証結果、正当な場合、多数のメインボード内の使用待機中であるメインボードのうち１つを選択して、多数の保存装置のうち、任意のモバイル機器ユーザに割り当てられた保存装置と連結する段階と、
前記リレーボードシステムが、前記任意のモバイル機器ユーザに割り当てられた保存装置に連結された場合、前記選択されたメインボードをオンさせる段階と、
を含む請求項８に記載のパソコンシステムの運用方法。
【請求項１１】
前記リレーボードシステムが、前記認証結果、正当な場合、多数のメインボード内の使用待機中であるメインボードのうち１つを選択して、多数の保存装置のうち、任意のモバイル機器ユーザに割り当てられた保存装置と連結する段階は、
前記リレーボードシステムが、前記選択されたメインボードのアドレス情報を前記任意のモバイル機器に伝送して、前記選択されたメインボードに接続させる段階をさらに含む請求項１０に記載のパソコンシステムの運用方法。
【請求項１２】
前記リレーボードシステムが、前記任意のモバイル機器ユーザから前記選択されたメインボードの使用終了要請に応じて、前記割り当てられた保存装置と前記選択されたメインボードとの連結を切る段階は、
前記リレーボードシステムが、前記割り当てられた保存装置と前記選択されたメインボードとの連結を切った後、前記選択されたメインボードをオフさせる段階をさらに含む請求項８に記載のパソコンシステムの運用方法。
【請求項１３】
前記リレーボードシステムは、ＳＡＴＡ方式の電源及びデータケーブルを用いて、前記多数のメインボード及び前記多数の保存装置のそれぞれに連結される請求項８ないし請求項１２のうち何れか一項に記載のパソコンシステムの運用方法。
【請求項１４】
前記多数のメインボードは、それぞれ同じハードウェア仕様を有する請求項８ないし請求項１２のうち何れか一項に記載のパソコンシステムの運用方法。
【発明の詳細な説明】
【技術分野】
【０００１】
本発明は、モバイル機器ユーザのためのパソコンシステム及びそのパソコンシステムの運用方法に係り、より詳細には、モバイル機器を使う業務環境でモバイル機器のシステムリソース不足によって、モバイル機器で実行されないプログラムをモバイル機器の個数より少ないパソコンをシステム化して処理する技術に関する。
【背景技術】
【０００２】
モバイル機器の性能が向上し、ネットワークインフラが発展しながら、モバイル機器を利用した業務処理が爆発的に増加している。スマートフォンやタブレット（ｔａｂｌｅｔ）形式のコンピュータのようなモバイル機器は、携帯性によって小型で製作されており、インターネットウェブブラウジングやモバイル機器に適するように作られたプログラムの運用には無理がないが、まだパソコン（ＰＣ）に比べては、低いシステムリソースを有する。これにより、モバイル機器で業務を行いながら、パソコンで行わなければならない業務がある場合、モバイル機器のユーザは、パソコンで作業を行うか、ウィンドウ（Ｗｉｎｄｏｗ）の遠隔デスクトッププログラムやＶＮＣ（Ｖｉｒｔｕａｌ  Ｎｅｔｗｏｒｋ  Ｃｏｍｐｕｔｉｎｇ）ビューアー（ｖｉｅｗｅｒ）のような遠隔接続プログラムを用いて、モバイル機器で当該プログラムが設けられたパソコンに遠隔接続を行って解決している実情である。
【０００３】
このように、ほとんどの業務がモバイル機器で処理され、特別な場合、モバイル機器のシステムリソース不足によって、パソコンで処理されなければならない業務のみをパソコンで解決する環境で業務を処理するために、モバイル機器のユーザは、それぞれモバイル機器と高価のパソコンとをそれぞれ別途に備えなければならない。しかし、パソコンは、モバイル機器の活用によって活用度が非常に低くて、モバイル機器とパソコンとをいずれも備えるのは、コストと資源との側面で無駄使いになる。しかしながら、パソコンが必要な必須業務によって、パソコンを備えなくてはならないジレンマが発生する。
【０００４】
一方、最近、クラウド（Ｃｌｏｕｄ）コンピューティングサービスの使用が増加している。クラウドコンピューティングサービスは、個人別ＯＳやソフトウェアをサーバに保存し、各個人が端末を通じてサーバに接続して、個人別ＯＳやソフトウェアを実行させる技術である。しかし、クラウドコンピューティングサービスは、高価のサーバによるコストと複雑なサーバ管理の負担、ユーザの接続有無に関係なく、大容量のサーバが常に駆動されなければならないために、エネルギー無駄使い及び個人別ＯＳやソフトウェアのアップグレードがパソコンでのように自在ではないという問題点を有する。また、クラウドコンピューティングサービスを提供する会社のサーバを利用する場合、個人別の重要データが遠隔地サーバの共用保存装置に保存されるために、不法露出及び流出などの保安問題が発生する恐れがある。
【発明の概要】
【発明が解決しようとする課題】
【０００５】
本発明は、前記問題点を解決するために、モバイル機器を使う業務環境でモバイル機器のシステムリソース不足によって、実行されないプログラムをモバイル機器の個数より少ないパソコンをシステム化して処理するモバイル機器ユーザのためのパソコンシステム及びそのパソコンシステムの運用方法が提案される。
【課題を解決するための手段】
【０００６】
本発明の一態様によるモバイル機器ユーザのためのパソコンシステムは、少なくとも１つのソフトウェアが実行される多数のメインボードと、それぞれ自分に割り当てられたモバイル機器ユーザが使う少なくとも１つのソフトウェアを保存する多数の保存装置と、任意のモバイル機器ユーザのソフトウェア実行のための接続要請に応じて、前記多数のメインボード内の使用待機中であるメインボードのうち１つを選択して、前記多数の保存装置のうち、任意のモバイル機器ユーザに割り当てられた保存装置と連結し、前記任意のモバイル機器ユーザから前記選択されたメインボードの使用終了要請に応じて、前記任意のモバイル機器ユーザに割り当てられた保存装置と前記選択されたメインボードとの連結を切るリレーボードシステムと、を含む。
【０００７】
前記多数のメインボードの個数は、前記多数の保存装置の個数より少ない。
【０００８】
前記リレーボードシステムは、前記任意のモバイル機器ユーザのソフトウェア実行のための接続要請に応じて接続権限を認証して、正当な場合、前記使用待機中であるメインボードのうち１つを選択して、前記選択されたメインボードと前記任意のモバイル機器ユーザに割り当てられた保存装置とを連結するためのスイッチングオン信号を発生させ、前記選択されたメインボードの使用終了要請に応じてスイッチングオフ信号を発生させる制御部と、前記スイッチングオン信号によってスイッチングして、前記選択されたメインボードと前記任意のモバイル機器ユーザに割り当てられた保存装置とを連結し、前記スイッチングオフ信号によってスイッチングして、前記選択されたメインボードと前記任意のモバイル機器ユーザに割り当てられた保存装置との連結を切るスイッチング部と、を含みうる。
【０００９】
前記制御部は、前記接続権限を認証して、正当な場合、前記選択されたメインボードのアドレス情報を前記任意のモバイル機器に伝送しうる。
【００１０】
前記制御部は、前記選択されたメインボードと前記任意のモバイル機器ユーザに割り当てられた保存装置とが連結された場合、前記選択されたメインボードにオン（Ｏｎ）させ、前記選択されたメインボードと前記任意のモバイル機器ユーザに割り当てられた保存装置とが切られた場合、前記選択されたメインボードをオフ（Ｏｆｆ）させることができる。
【００１１】
前記リレーボードシステムは、ＳＡＴＡ（Ｓｅｒｉａｌ  ＡＴＡ）方式の電源及びデータケーブルを用いて、前記多数のメインボード及び前記多数の保存装置のそれぞれに連結されうる。
【００１２】
前記多数のメインボードは、それぞれ同じハードウェア仕様を有しうる。
【００１３】
本発明の他の態様によるパソコンシステムの運用方法は、リレーボードシステムが、任意のモバイル機器ユーザからソフトウェア実行のための接続要請を受信する段階と、前記リレーボードシステムが、前記受信された接続要請に応じて多数のメインボード内の使用待機中であるメインボードのうち１つを選択して、多数の保存装置のうち、任意のモバイル機器ユーザに割り当てられた保存装置と連結する段階と、前記リレーボードシステムが、前記任意のモバイル機器ユーザから前記選択されたメインボードの使用終了要請に応じて、前記割り当てられた保存装置と前記選択されたメインボードとの連結を切る段階と、を含む。
【００１４】
前記リレーボードシステムが、前記受信された接続要請に応じて多数のメインボード内の使用待機中であるメインボードのうち１つを選択して、多数の保存装置のうち、任意のモバイル機器ユーザに割り当てられた保存装置と連結する段階は、前記リレーボードシステムが、前記任意のモバイル機器ユーザのソフトウェア実行のための接続要請に応じて接続権限を認証する段階と、前記リレーボードシステムが、前記認証結果、正当な場合、多数のメインボード内の使用待機中であるメインボードのうち１つを選択して、多数の保存装置のうち、任意のモバイル機器ユーザに割り当てられた保存装置と連結する段階と、前記リレーボードシステムが、前記任意のモバイル機器ユーザに割り当てられた保存装置に連結された場合、前記選択されたメインボードをオンさせる段階と、を含みうる。
【００１５】
前記リレーボードシステムが、前記認証結果、正当な場合、多数のメインボード内の使用待機中であるメインボードのうち１つを選択して、多数の保存装置のうち、任意のモバイル機器ユーザに割り当てられた保存装置と連結する段階は、前記リレーボードシステムが、前記選択されたメインボードのアドレス情報を前記任意のモバイル機器に伝送して、前記選択されたメインボードに接続させる段階をさらに含みうる。
【００１６】
前記リレーボードシステムが、前記任意のモバイル機器ユーザから前記選択されたメインボードの使用終了要請に応じて、前記割り当てられた保存装置と前記選択されたメインボードとの連結を切る段階は、前記リレーボードシステムが、前記割り当てられた保存装置と前記選択されたメインボードとの連結を切った後、前記選択されたメインボードをオフさせる段階をさらに含みうる。
【発明の効果】
【００１７】
本発明の実施形態によるモバイル機器ユーザのためのパソコンシステム及びそのパソコンシステムの運用方法によれば、モバイル機器を使う業務環境でモバイル機器のシステムリソース不足によって、実行されないプログラムをモバイル機器の個数より少ないパソコンをシステム化して処理することによって、モバイル機器を主要業務道具として使う環境でさらに投資が必要なパソコンの台数を最小限に維持し、それにより、投資費と維持補修費も減らすことができるだけではなく、モバイル機器ユーザがいずれも個別的にパソコンを運用する場合や、クラウドコンピューティングサービスのためにサーバを運用する場合に比べて、使われる電気エネルギーを節約することができる。
【図面の簡単な説明】
【００１８】
【図１】本発明の実施形態によるモバイル機器ユーザのためのパソコンシステムの構成を示す図である。
【図２】本発明の実施形態によるリレーボードシステムの構成を示す図である。
【図３】本発明の実施形態によるリレーボードシステムで提供するウェブページを示す図である。
【図４】本発明の実施形態によるパソコンシステムの運用方法についてのフローチャートである。
【発明を実施するための形態】
【００１９】
以下、添付した図面を参照して、本発明の実施形態を詳しく説明する。本発明の実施形態を説明するに当たって、関連した公知機能または構成についての具体的な説明が、本発明の要旨を不明にする恐れがあると判断される場合には、その詳細な説明を省略する。また、後術する用語は、本発明での機能を考慮して定義された用語であって、これは、ユーザ、運用者の意図または慣例などによって変わりうる。したがって、その定義は、本明細書の全般に亘った内容に基づいて下されなければならない。
【００２０】
図１は、本発明の実施形態によるモバイル機器ユーザのためのパソコンシステムに対する構成を示す図である。
【００２１】
示したように、本発明の実施形態によるパソコンシステム２０は、多数のメインボード２１、多数の保存装置２３、及びリレーボードシステム２２を含む。
【００２２】
多数のメインボード２１は、少なくとも１つのソフトウェアを実行する。この際、多数のメインボード２１のそれぞれは、いずれも同じハードウェア仕様を有しうる。すなわち、多数のメインボード２１のそれぞれは、ＣＰＵ、ＲＡＭなどのハードウェア部品ごとに同じ種類を用いて構成することができる。このように、多数のメインボード２１をいずれも同じハードウェア仕様を有するようにする理由は、多数の保存装置２３に互いに異なるＯＳ（Ｏｐｅｒａｔｉｎｇ  Ｓｙｓｔｅｍ）と他のプログラムとが設けられている場合、多数のメインボード２１のうち何れか１つを選択しても、ブーティングやプログラムの実行に差し支えがないためである。
【００２３】
多数の保存装置２３は、それぞれ自分に割り当てられたモバイル機器１０ユーザが使う少なくとも１つのソフトウェアを保存する。この際、多数のメインボード２１の個数は、多数の保存装置２３の個数より少ない。このような多数のメインボード２１の個数は、保存装置２３が割り当てられたモバイル機器ユーザの数と同時接続使用率とを用いて求めうる。同時接続使用率は、保存装置２３が割り当てられたモバイル機器ユーザの数と前記保存装置２３が割り当てられたモバイル機器ユーザのうち、パソコンシステム２０に同時に接続することができるユーザの数との比率を表わし、パソコンシステム２０に同時に接続することができるユーザの数は、一定期間の間にパソコンシステム２０に接続するモバイル機器ユーザの数を調査して、累積したデータを通じて得られうる。実施形態として、保存装置２３が割り当てられたモバイル機器ユーザの数が１０人であり、保存装置２３が割り当てられたモバイル機器ユーザのうち、パソコンシステム２０に同時に接続することができるユーザの数が５人である場合、同時接続使用率は、５０％（＝（５／１０）＊１００）であり得る。
【００２４】
前述したように、多数のメインボード２１の数を多数の保存装置２３の数より少なくすることによって、パソコンシステム２０の構成コストを減らしうる。すなわち、保存装置２３に比べて、高価であるメインボード２１の数を減らして、パソコンシステム２０を構成することによって、システムの構成コストを減らしうる。
【００２５】
一方、リレーボードシステム２２は、任意のモバイル機器１０ユーザのソフトウェア実行のための接続要請に応じて、多数のメインボード２１内の使用待機中であるメインボードのうち１つを選択して、多数の保存装置２３のうち、任意のモバイル機器ユーザに割り当てられた保存装置と連結する。以後、リレーボードシステム２２は、任意のモバイル機器ユーザから選択されたメインボードの使用終了要請に応じて、任意のモバイル機器ユーザに割り当てられた保存装置２３と選択されたメインボード２１との連結を切る。
【００２６】
このようなリレーボードシステム２２は、図２に示したように、制御部２５とスイッチング部２６とを含むが、ＳＡＴＡ方式の電源及びデータケーブルを用いて、多数のメインボード及び多数の保存装置のそれぞれに連結されうる。
【００２７】
制御部２５は、任意のモバイル機器ユーザのソフトウェア実行のための接続要請に応じて接続権限を認証して、正当な場合、使用待機中であるメインボードのうち１つを選択して、該選択されたメインボードと任意のモバイル機器ユーザに割り当てられた保存装置とを連結するためのスイッチングオン信号を発生させて、スイッチング部２６に提供する。一方、制御部２５は、選択されたメインボードの使用終了要請に応じてスイッチングオフ信号を発生させて、スイッチング部２６に提供する。
【００２８】
この際、制御部２５は、接続権限を認証して、正当な場合、選択されたメインボードのアドレス情報を任意のモバイル機器に伝送しうる。すなわち、制御部２５は、モバイル機器ユーザがパソコンシステムに接続する場合、図３に示したようなウェブページを提供し、該提供されたウェブページを通じてＩＤ及びパスワード（ｐａｓｓｗｏｒｄ）が入力されれば、該入力されたＩＤ及びパスワードを用いて接続権限についての認証を行って、正当な場合、選択されたメインボードのアドレス情報をモバイル機器に伝送しうる。モバイル機器に伝送されるメインボードのアドレス情報は、ＩＰアドレスであり得る。これにより、任意のモバイル機器は、受信されたアドレス情報を用いて選択されたメインボードに接続させうる。制御部２５は、図３に示されたウェブページを通じて選択されたメインボードと当該メインボードのアドレス情報を表示することができる。一方、制御部２５は、図３に示されたウェブページで“終了”アイコンボタンが選択された場合に、任意のモバイル機器ユーザが選択されたメインボードの使用終了を要請したと判断して、スイッチングオフ信号を発生させて、スイッチング部２６に提供する。
【００２９】
さらに、制御部２５は、選択されたメインボードと任意のモバイル機器ユーザに割り当てられた保存装置とが連結された場合、選択されたメインボードにオンさせ、選択されたメインボードと任意のモバイル機器ユーザに割り当てられた保存装置とが切られた場合、選択されたメインボードをオフさせる。
【００３０】
一方、スイッチング部２６は、制御部２５から提供されたスイッチングオン信号によってスイッチングして、選択されたメインボードと任意のモバイル機器ユーザに割り当てられた保存装置とを連結し、スイッチングオフ信号によってスイッチングして、選択されたメインボードと任意のモバイル機器ユーザに割り当てられた保存装置との連結を切る。
【００３１】
図４は、本発明の実施形態によるパソコンシステムの運用方法についてのフローチャートである。
【００３２】
示したように、リレーボードシステムが、任意のモバイル機器ユーザからソフトウェア実行のための接続要請を受信する（ステップＳ１０）。
【００３３】
リレーボードシステムが、受信された接続要請に応じて多数のメインボード内の使用待機中であるメインボードのうち１つを選択して、多数の保存装置のうち、任意のモバイル機器ユーザに割り当てられた保存装置と連結する（ステップＳ２０）。この際、リレーボードシステムは、任意のモバイル機器ユーザのソフトウェア実行のための接続要請に応じて接続権限を認証する。リレーボードシステムは、認証結果、正当な場合、多数のメインボード内の使用待機中であるメインボードのうち１つを選択して、多数の保存装置のうち、任意のモバイル機器ユーザに割り当てられた保存装置と連結する。以後、リレーボードシステムは、任意のモバイル機器ユーザに割り当てられた保存装置に連結された場合、選択されたメインボードをオンさせる。それに加えて、リレーボードシステムは、選択されたメインボードのアドレス情報を任意のモバイル機器に伝送して、任意のモバイル機器のユーザが選択されたメインボードに接続して、使おうとするソフトウェアを実行させるようにする。
【００３４】
一方、リレーボードシステムは、任意のモバイル機器ユーザから選択されたメインボードの使用終了要請に応じて、割り当てられた保存装置と選択されたメインボードとの連結を切る（ステップＳ３０）。この際、リレーボードシステムは、割り当てられた保存装置と選択されたメインボードとの連結を切った後、選択されたメインボードをオフさせることができる。これにより、選択されたメインボードは、他のモバイル機器ユーザのために、待機状態で存在する。
【００３５】
以上、本発明について実施形態を中心に説明した。当業者ならば、本発明の本質的な特性から外れない範囲で変形された形態で具現可能であるということを理解できるであろう。したがって、開示された実施形態は、限定的な観点ではなく、説明的な観点で考慮されなければならない。したがって、本発明の範囲は、前述した実施形態に限定されず、特許請求の範囲に記載の内容及びそれと同等な範囲内にある多様な実施形態が含まれるように解析しなければならない。
【産業上の利用可能性】
【００３６】
本発明は、モバイル機器ユーザのためのパソコンシステム及びそのパソコンシステムの運用方法関連の技術分野に適用可能である。
【符号の説明】
【００３７】
１０  モバイル機器
２０  パソコンシステム
２１  メインボード
２２  リレーボード
２３  保存装置
２５  制御部
２６  スイッチング部
【図１】
2013541078.tif 000003
【図２】
2013541078.tif 000004
【図３】
2013541078.tif 000005
【図４】
2013541078.tif 000006
【国際調査報告】
2013541078.tif 000007
2013541078.tif 000008